(57)【要約】【課題】外部ミキサ等の周波数変換器や高価なレーザダイオード及びフォトダイオードを不要にした光リンク通信システムを提供する。【解決手段】下り回線では、親局１０は、レーザダイオード１０３の電気光変換特性の非線形性に起因する２次歪み等の歪み信号を利用して、無線周波数帯信号と局発信号とが混合された光信号である中間周波数帯光信号を生成し、これを光ファイバケーブルＦＣ１に送出する。一方、子局２０は、光ファイバケーブルＦＣ１を介して親局１０から伝送されてくる中間周波数帯光信号をフォトダイオード２０１にて電気信号に変換し、変換された電気信号から中間周波数帯信号と局発信号とを抽出し、抽出された中間周波数帯信号及び局発信号に基づき無線周波数帯信号を再生し、これを移動局に無線送信する。また、上り回線でもこれと同等の作用により、無線周波数帯信号が再生され、復調器に出力される。【選択図】図１
2005073009.tif 000002
【特許請求の範囲】
【請求項１】
移動局と無線回線を介して通信を行う子局と、この子局と下り光ファイバケーブル及び上り光ファイバケーブルを介して通信を行う親局と、を含んで構成される光リンク通信システムであって、
前記親局は、
下り回線における周波数変換のための基準信号である下り局発信号を生成する下り局発信号生成器と、
非線形の電気光変換特性を有する下りレーザダイオードと、を備え、
前記下りレーザダイオードの電気光変換特性の非線形性に起因する歪み信号を利用して、前記下り無線周波数帯信号と前記下り局発信号とが混合された光信号である下り中間周波数帯光信号を生成し、これを前記下り光ファイバケーブルに送出し、
前記子局は、
前記下り光ファイバケーブルを介して前記親局から伝送されてくる前記下り中間周波数帯光信号を電気信号に変換する下りフォトダイオードと、
前記下りフォトダイオードにて変換された電気信号から、前記下り中間周波数帯信号と前記下り局発信号とを抽出する下りバンドパスフィルタと、を備え、
抽出された前記下り中間周波数帯信号及び前記下り局発信号に基づき、前記下り無線周波数帯信号を再生し、これを前記移動局に無線送信する、
と共に、
前記子局は、
上り回線における周波数変換のための基準信号である上り局発信号を生成する上り局発信号生成器と、
非線形の電気光変換特性を有する上りレーザダイオードと、を備え、
前記上りレーザダイオードの電気光変換特性の非線形性に起因する２次歪み等の歪み信号を利用して、前記上り無線周波数帯信号と前記上り局発信号とが混合された光信号である上り中間周波数帯光信号を生成し、これを前記上り光ファイバケーブルに送出し、
前記親局は、
前記上り光ファイバケーブルを介して前記子局から伝送されてくる前記上り中間周波数帯光信号を電気信号に変換する上りフォトダイオードと、
前記上りフォトダイオードにて変換された電気信号から、前記上り中間周波数帯信号と前記上り局発信号とを抽出する上りバンドパスフィルタと、を備え、
抽出された前記上り中間周波数帯信号及び前記上り局発信号に基づき、前記上り無線周波数帯信号を再生し、これを復調器に出力する、
ことを特徴とする光リンク通信システム。
【請求項２】
請求項１記載の光リンク通信システムにおいて、
前記子局は、
前記上り局発信号生成器に替えて、前記下りバンドパスフィルタにて抽出された下り局発信号を分配する分配器、を備え、
分配された前記下り局発信号が、前記上り局発信号として利用される、
ことを特徴とする光リンク通信システム。
【請求項３】
請求項２記載の光リンク通信システムにおいて、
前記子局及び前記親局はそれぞれ、
前記上りバンドパスフィルタ及び前記下りバンドパスフィルタの後段に接続された、抽出された前記上り局発信号及び前記下り局発信号をそれぞれ、最適なレベルに増幅するためのアンプ、を更に備える、
ことを特徴とする光リンク通信システム。
【請求項４】
請求項３記載の光リンク通信システムにおいて、
前記上り中間周波数帯光信号及び前記下り中間周波数帯光信号はそれぞれ、
前記上り局発信号及び前記下り局発信号を変更することにより可変である、
ことを特徴とする光リンク通信システム。
【発明の詳細な説明】
【技術分野】
【０００１】
本発明は、移動局と無線回線を介して通信を行う子局と、この子局と光ファイバケーブルを介して通信を行う親局と、を含んで構成される光リンク通信システムに関し、特に、光ファイバ通信のための、電気光変換素子としてレーザダイオード及び光電気変換素子としてフォトダイオードを備えた光リンク通信システムに関する。
【背景技術】
【０００２】
近年、ケーブルテレビ網や携帯電話の不感地帯対策用に、中央制御局に近い親局と、携帯電話端末等の移動局と無線通信する子局と、が光ファイバケーブルを介して接続されて、両局間で光ファイバ通信を行う通信システム（以後、光リンク通信システムとよぶ）が実用化されている。図３は、従来のこの種の光リンク通信システムを例示するブロック図である。
【０００３】
図３に示すように、従来のシステムは、ここでは図示しない携帯電話端末等の移動局と無線回線を介して通信を行う従基地局９３と、この従基地局９３と光ファイバケーブルＦＣ９１、ＦＣ９２を介して通信を行う主基地局９１と、を含んで構成される。なお、主基地局９１及び従基地局９３はそれぞれ、親局及び子局に対応する。
【０００４】
主基地局９１は、下り回線用の、ＦＭ変調器９１１、合成器９１２、局発信号生成器９１３及びレーザダイオード９１４、上り回線用の、フォトダイオード９１５、バンドパスフィルタ９１６、ＦＭ復調器９１７を備えている。一方、従基地局９３は、下り回線用の、フォトダイオード９３１、バンドパスフィルタ９３２及びパワーアンプ９３３を備え、上り回線用の、パワーアンプ９３６、合成器９３７、局発信号生成器９３８及びレーザダイオード９３９を備えている。更に、従基地局９３は、下り回線及び上り回線に共通の、アンテナ共用器９３４及び送受信アンテナ９３５を備えている。
【０００５】
主基地局９１と従基地局９３とは、下り回線用の光ファイバケーブルＦＣ９１及び上り回線用の光ファイバケーブルＦＣ９２で通信接続されている。詳しくは、光ファイバケーブルＦＣ９１は、主基地局９１のレーザダイオード９１４と従基地局９３のフォトダイオード９３１との間を接続し、光ファイバケーブルＦＣ９２は、従基地局９３のレーザダイオード９３９と主基地局９１のフォトダイオード９１５との間を接続している。また、従基地局９３はアンテナ９３５を介して、所定の無線周波数で、図示しない移動局と無線接続されている。
【０００６】
このような構成において、下り回線では、ＦＭ変調器９１１は、ベースバンド信号（ＢＢ１信号）で所定周波数の搬送波をＦＭ変調して生成し、これが中間周波数帯信号として合成器９１２に出力される。合成器９１２は、この中間周波数帯信号と、局発信号生成器９１３にて生成された局発信号と、を合成して、レーザダイオード９１４に与える。合成された信号は、レーザダイオード９１４にて電気光変換された後、無線周波数帯信号として、光ファイバケーブルＦＣ９１に出力されて従基地局９３まで伝送される。
【０００７】
光ファイバケーブルＦＣ９１にて伝送されてきた光信号は、従基地局９３のフォトダイオード９３１にて受信されて電気信号に変換される。この電気信号がバンドパスフィルタ９３２に入力されて、無線周波数帯信号が抽出される。そして、この無線周波数帯信号は、パワーアンプ９３３で無線送信に適した所定レベルに増幅された後、アンテナ共用器９３４及びアアンテナ９３５を介して、図示しない移動局に向けて無線送信される。
【０００８】
一方、上り回線では、従基地局９３は、図示しない移動局から送信されてきた、例えば、ＦＭ変調された無線周波数帯信号を受信する。従基地局９３のアンテナ９３５及びアンテナ共用器９３４を介して、受信された無線周波数帯信号は、パワーアンプ９３６にて所定レベルに増幅されて、合成器９３７に出力される。合成器９３７は、この無線周波数帯信号と、局発信号生成器９３８にて生成された局発信号と、を合成して、レーザダイオード９３９に与える。合成された信号は、レーザダイオード９３９にて電気光変換された後、中間周波数帯信号として、光ファイバケーブルＦＣ９２に出力されて主基地局９１まで伝送される。
【０００９】
光ファイバケーブルＦＣ９２にて伝送されてきた光信号は、主基地局９１のフォトダイオード９１５にて受信されて電気信号に変換される。この電気信号がバンドパスフィルタ９１６に入力されて、中間周波数帯信号が抽出される。そして、この中間周波数帯信号は、ＦＭ変調器９１７にて復調されて、ベースバンド信号（ＢＢ２信号）が取り出される。なお、このような従来のシステムは、下記特許文献１等にも示されている。
【特許文献１】特開平５−１４２６４号公報（図１）
【特許文献２】特開平６−３５０５３７号公報（図１）
【発明の開示】
【発明が解決しようとする課題】
【００１０】
ところが、近年、無線周波数帯信号は例えば５ＧＨｚを超えるような超高周波化の傾向にあり、このような高周波の無線周波数帯信号を、上述のように光ファイバ通信するためには、非常に広帯域なレーザダイオード及びフォトダイオード、又は外部変調器が必要となり、コスト高となる。そこで、比較的安価なレーザダイオード及びフォトダイオードを使用可能にするため、無線周波数帯信号を外部ミキサ等の周波数変換器を用いて一旦ダウンコンバートした後に、光ファイバ通信するというアイディアも、上記特許文献２等で提案されている。しかしながら、この従来技術も、周波数変換器を要するために、回路規模が増大するという問題があった。
【００１１】
よって本発明は、上述した現状に鑑み、外部ミキサ等の周波数変換器や高価なレーザダイオード及びフォトダイオードを不要にした光リンク通信システムを提供することを課題としている。
【課題を解決するための手段】
【００１２】
上記課題を解決するためになされた請求項１記載の光リンク通信システムは、移動局と無線回線を介して通信を行う子局と、この子局と下り光ファイバケーブル及び上り光ファイバケーブルを介して通信を行う親局と、を含んで構成される光リンク通信システムであって、前記親局は、下り回線における周波数変換のための基準信号である下り局発信号を生成する下り局発信号生成器と、非線形の電気光変換特性を有する下りレーザダイオードと、を備え、前記下りレーザダイオードの電気光変換特性の非線形性に起因する歪み信号を利用して、前記下り無線周波数帯信号と前記下り局発信号とが混合された光信号である下り中間周波数帯光信号を生成し、これを前記下り光ファイバケーブルに送出し、前記子局は、前記下り光ファイバケーブルを介して前記親局から伝送されてくる前記下り中間周波数帯光信号を電気信号に変換する下りフォトダイオードと、前記下りフォトダイオードにて変換された電気信号から、前記下り中間周波数帯信号と前記下り局発信号とを抽出する下りバンドパスフィルタと、を備え、抽出された前記下り中間周波数帯信号及び前記下り局発信号に基づき、前記下り無線周波数帯信号を再生し、これを前記移動局に無線送信する、と共に、前記子局は、上り回線における周波数変換のための基準信号である上り局発信号を生成する上り局発信号生成器と、非線形の電気光変換特性を有する上りレーザダイオードと、を備え、前記上りレーザダイオードの電気光変換特性の非線形性に起因する歪み信号を利用して、前記上り無線周波数帯信号と前記上り局発信号とが混合された光信号である上り中間周波数帯光信号を生成し、これを前記上り光ファイバケーブルに送出し、前記親局は、前記上り光ファイバケーブルを介して前記子局から伝送されてくる前記上り中間周波数帯光信号を電気信号に変換する上りフォトダイオードと、前記上りフォトダイオードにて変換された電気信号から、前記上り中間周波数帯信号と前記上り局発信号とを抽出する上りバンドパスフィルタと、を備え、抽出された前記上り中間周波数帯信号及び前記上り局発信号に基づき、前記上り無線周波数帯信号を再生し、これを復調器に出力する、ことを特徴とする。
【００１３】
請求項１記載の発明によれば、下り回線では、親局は、下りレーザダイオードの電気光変換特性の非線形性に起因する歪み信号を利用して、下り無線周波数帯信号と下り局発信号とが混合された光信号である下り中間周波数帯光信号を生成し、これを下り光ファイバケーブルに送出する。一方、子局は、下り光ファイバケーブルを介して親局から伝送されてくる下り中間周波数帯光信号を下りフォトダイオードにて電気信号に変換し、変換された電気信号から下り中間周波数帯信号と下り局発信号とを抽出し、抽出された下り中間周波数帯信号及び下り局発信号に基づき下り無線周波数帯信号を再生し、これを移動局に無線送信する。
【００１４】
また、上り回線では、子局は、上りレーザダイオードの電気光変換特性の非線形性に起因する歪み信号を利用して、移動局から送信されてくる上り無線周波数帯信号と上り局発信号とが混合された光信号である上り中間周波数帯光信号を生成し、これを上り光ファイバケーブルに送出する。一方、親局は、上り光ファイバケーブルを介して親局から伝送されてくる上り中間周波数帯光信号を上りフォトダイオードにて電気信号に変換し、変換された電気信号から上り中間周波数帯信号と上り局発信号とを抽出し、抽出された上り中間周波数帯信号及び上り局発信号に基づき上り無線周波数帯信号を再生し、これを復調器に出力する。
【００１５】
上記課題を解決するためになされた請求項２記載の光リンク通信システムは、請求項１記載の光リンク通信システムにおいて、前記子局は、前記上り局発信号生成器に替えて、前記下りバンドパスフィルタにて抽出された下り局発信号を分配する分配器、を備え、分配された前記下り局発信号が、前記上り局発信号として利用される、ことを特徴とする。
【００１６】
請求項２記載の発明によれば、子局では、下りバンドパスフィルタにて抽出された下り局発信号が上り局発信号としても利用されるので、子局の回路規模の小型化が促進される。
【００１７】
上記課題を解決するためになされた請求項３記載の光リンク通信システムは、請求項２記載の光リンク通信システムにおいて、前記子局及び前記親局はそれぞれ、前記上りバンドパスフィルタ及び前記下りバンドパスフィルタの後段に接続された、抽出された前記上り局発信号及び前記下り局発信号をそれぞれ、最適なレベルに増幅するためのアンプ、を更に備える、ことを特徴とする。
【００１８】
請求項３記載の発明によれば、上り及び下りバンドパスフィルタにより抽出された局発信号がそれぞれ、最適なレベルに増幅される。したがって、無線周波数帯信号が忠実に再生可能になる。
【００１９】
上記課題を解決するためになされた請求項４記載の光リンク通信システムは、請求項３記載の光リンク通信システムにおいて、前記上り中間周波数帯光信号及び前記下り中間周波数帯光信号はそれぞれ、前記上り局発信号及び前記下り局発信号を変更することにより可変である、ことを特徴とする。
【００２０】
請求項４記載の発明によれば、上り及び下り中間周波数帯光信号はそれぞれ、上り及び下り局発信号を変更することにより可変である。したがって、使用するレーザダイオード及びフォトダイオードの性能に対して最適な上り及び下り中間周波数帯光信号を任意に生成することが可能になる。
【発明の効果】
【００２１】
請求項１記載の発明によれば、レーザダイオードの電気光変換特性の非線形性に起因する歪み信号を利用して、下り及び上り中間周波数帯光信号を生成するようにしているため、下り回線では親局に、上り回線では子局に、外部ミキサ等の周波数変換器を用いることなく、また、子局及び親局にそれぞれ高価なレーザダイオード及びフォトダイオードを用いることなく、高周波数帯の無線通信システムにおける子局及び親局との間の双方向の光ファイバ通信が可能になる。
【００２２】
請求項２記載の発明によれば、子局では、下りバンドパスフィルタにて抽出された下り局発信号が上り局発信号としても利用されるので、子局の回路規模の小型化が促進される。
【００２３】
請求項３記載の発明によれば、上り及び下りバンドパスフィルタにより抽出された局発信号がそれぞれ、最適なレベルに増幅される。したがって、無線周波数帯信号が忠実に再生可能になる。
【００２４】
請求項４記載の発明によれば、上り及び下り中間周波数帯光信号はそれぞれ、上り及び下り局発信号を変更することにより可変である。したがって、使用するレーザダイオード及びフォトダイオードの性能に対して最適な上り及び下り中間周波数帯光信号を任意に生成することが可能になる。
【発明を実施するための最良の形態】
【００２５】
図１は、本発明の光リンク通信システムの第１実施形態を示すブロック図である。図１に示すように、この光リンク通信システムは、携帯電話端末等の移動局３０と無線回線を介して通信を行う子局２０と、この子局２０と光ファイバケーブルＦＣ１、ＦＣ２を介して通信を行う親局１０と、を含んで構成される。なお、図１では、本発明の主旨を理解するために必要でない一部のアンプや減衰器は省略している。
【００２６】
親局１０は、上り回線用の、合成器１０１、局発信号生成器１０２及びレーザダイオード１０３、下り回線用の、フォトダイオード１０４、分配器１０５、バンドパスフィルタ１０６、１０７、アンプ１０８及び周波数変換器１０９を備えている。一方、子局２０は、下り回線用の、フォトダイオード２０１、分配器２０２、バンドパスフィルタ２０３、２０４、アンプ２０５、周波数変換器２０６及びパワーアンプ２０７、上り回線用の、パワーアンプ２１０、合成器２１１、局発信号生成器２１２及びレーザダイオード２１３を備えている。更に、子局２０は、下り回線及び上り回線に共通の、アンテナ共用器２０８及び送受信アンテナ２０９を備えている。
【００２７】
親局１０と子局２０とは、下り回線用の光ファイバケーブルＦＣ１及び上り回線用の光ファイバケーブルＦＣ２で通信接続されている。詳しくは、光ファイバケーブルＦＣ１は、親局１０のレーザダイオード１０３と子局２０のフォトダイオード２０１との間を接続し、光ファイバケーブルＦＣ２は、子局２０のレーザダイオード２１３と親局１０のフォトダイオード１０４との間を接続している。また、子局２０はアンテナ２０９、３０１を介して、所定の無線周波数で、移動局３０と無線接続されている。
【００２８】
このような構成において、下り回線では、図示しない基地局内に装備される変調器にて、例えば、ＦＭ変調された無線周波数帯信号（ＲＦ１信号）は、親局１０の合成器１０１に出力される。合成器１０１は、この無線周波数帯信号と、局発信号生成器１０２にて生成された、下り回線における周波数変換のための基準信号である局発信号と、を合成して、レーザダイオード１０３に与える。レーザダイオード１０３は、非線形の電気光変換特性を有する周知の光デバイスであり、この非線形性に起因する２次歪み等の歪み信号を利用して、無線周波数帯信号と局発信号とが混合された光信号である中間周波数帯光信号を生成する。そして、この中間周波数帯光信号が、光ファイバケーブルＦＣ１に出力されて子局２０まで伝送される。
【００２９】
光ファイバケーブルＦＣ１に伝送されてきた中間周波数帯光信号は、子局２０のフォトダイオード２０１にて受信されて電気信号に変換される。この電気信号は、分配器２０２にて分配されて、バンドパスフィルタ２０３及び２０４に出力される。バンドパスフィルタ２０３は、上記電気信号から中間周波数帯信号を抽出して、これを周波数変換器２０６に出力する。バンドパスフィルタ２０４は、上記電気信号から上記局発信号生成器１０２にて生成された局発信号の成分を抽出し、アンプ２０５に出力する。ここで抽出された局発信号の成分は、アンプ２０５にて周波数変換に適したレベルにまで増幅されて、周波数変換器２０６に出力される。周波数変換器２０６は、ここに入力した中間周波数帯信号及び局発信号に基づき、無線周波数帯信号（ＲＦ１信号）を再生する。
【００３０】
そして、再生された無線周波数帯信号は、パワーアンプ２０７にて無線送信に適した所定レベルに増幅された後、アンテナ共用器２０８及びアンテナ２０９を介して、移動局３０に向けて無線送信される。移動局３０ではアンテナ３０１及び図示しない受信器を介して、子局２０から送信されてきた無線周波数帯信号を受信する。
【００３１】
一方、上り回線では、子局２０は、移動局３０の送信器及びアンテナ３０１を介して送信されてきた、例えば、ＦＭ変調された無線周波数帯信号（ＲＦ２信号）を受信する。子局２０のアンテナ２０９及びアンテナ共用器２０８を介して、受信された無線周波数帯信号は、パワーアンプ２１０にて所定レベルに増幅されて、合成器２１１に出力される。合成器２１１は、この無線周波数帯信号と、局発信号生成器２１２にて生成された、上り回線における周波数変換のための基準信号である局発信号と、を合成して、レーザダイオード２１３に与える。レーザダイオード２１３は、親局１０に装備される上記レーザダイオード１０３と同等の光デバイスであり、このレーザダイオード２１３の非線形性に起因する２次歪み等の歪み信号を利用して、無線周波数帯信号と局発信号とが混合された光信号である中間周波数帯光信号を生成する。そして、この中間周波数帯光信号が、光ファイバケーブルＦＣ２に出力されて親局１０まで伝送される。
【００３２】
光ファイバケーブルＦＣ２にて伝送されてきた中間周波数帯光信号は、親局１０のフォトダイオード１０４にて受信されて電気信号に変換される。この電気信号は、分配器１０５にて分配されて、バンドパスフィルタ１０６及び１０７に出力される。バンドパスフィルタ１０６は、上記電気信号から中間周波数帯信号を抽出して、これを周波数変換器１０９に出力する。バンドパスフィルタ１０７は、上記電気信号から上記局発信号生成器２１２にて生成された局発信号の成分を抽出し、アンプ１０８に出力する。ここで抽出された局発信号の成分は、アンプ１０８にて周波数変換に適したレベルにまで増幅されて、周波数変換器１０９に出力される。周波数変換器１０９は、ここに入力した中間周波数帯信号及び局発信号に基づき、無線周波数帯信号（上記ＲＦ２信号）を再生する。そして、この無線周波数帯信号は、上記基地局内に装備される復調器に出力される。
【００３３】
このように、本発明の第１実施形態によれば、レーザダイオードの電気光変換特性の非線形性に起因する２次歪み等の歪み信号を利用して、下り及び上り中間周波数帯光信号を生成するようにしているため、下り回線では親局１０に、上り回線では子局２０に、外部ミキサ等の周波数変換器を用いることなく、また、子局２０及び親局１０にそれぞれ高価なレーザダイオード及びフォトダイオードを用いることなく、子局２０及び親局１０との間の双方向の光ファイバ通信が可能になる。また、上り及び下り中間周波数帯光信号はそれぞれ、上り及び下り局発信号を変更することにより可変である。したがって、使用するレーザダイオード及びフォトダイオードの性能に対して最適な上り及び下り中間周波数帯光信号を任意に生成することが可能になる。
【００３４】
図２は、本発明の光リンク通信システムの第２実施形態を示すブロック図である。この第２実施形態は、子局２０′においては、上り及び下り局発信号を共用している点が第１実施形態とは異なる。すなわち、第２実施形態の子局２０′においては、周波数変換器２０６′に出力される中間周波数帯信号が、分配器２１４にて分配されて合成器２１１′にも出力される。その他の第２実施形態における構成は、第１実施形態における構成と同等であるので、共通する部分には、同一の符号を付し、重複する説明は省略する。
【００３５】
このような構成において、下り回線では、上記第１実施形態と同様の作用により、親局１０から光ファイバケーブルＦＣ１に伝送されてきた中間周波数帯光信号は、子局２０′のフォトダイオード２０１にて受信されて電気信号に変換される。この電気信号は、分配器２０２にて分配されて、バンドパスフィルタ２０３及び２０４に出力される。バンドパスフィルタ２０３は、上記電気信号から中間周波数帯信号を抽出して、これを周波数変換器２０６′に出力する。バンドパスフィルタ２０４は、上記電気信号から上記局発信号生成器１０２にて生成された局発信号の成分を抽出し、アンプ２０５に出力する。ここで、バンドパスフィルタ２０４にて抽出され、アンプ２０５にて周波数変換に適したレベルにまで増幅された局発信号は、周波数変換器２０６′に出力されると同時に、分配器２１４にて分配されて、上り回線の局発信号として合成器２１１′にも出力される。周波数変換器２０６′は、ここに入力した中間周波数帯信号及び局発信号に基づき、上記基地局からの無線周波数帯信号と同等の無線周波数帯信号（ＲＦ１信号）を再生する。
【００３６】
そして、再生された無線周波数帯信号は、パワーアンプ２０７にて無線送信に適した所定レベルに増幅された後、アンテナ共用器２０８及びアンテナ２０９を介して、携帯電話端末等の移動局３０に向けて無線送信される。移動局３０ではアンテナ３０１及び図示しない受信器を介して、子局２０から送信されてきた無線周波数帯信号を受信する。
【００３７】
一方、上り回線では、子局２０′は、移動局３０の送信器及びアンテナ３０１を介して送信されてきた、例えば、ＦＭ変調された無線周波数帯信号を受信する。子局２０のアンテナ２０９及びアンテナ共用器２０８を介して、受信された無線周波数帯信号は、パワーアンプ２１０にて所定レベルに増幅されて、合成器２１１′に出力される。合成器２１１′は、この無線周波数帯信号と、上記下り回線から取得した局発信号と、を合成して、レーザダイオード２１３に与える。レーザダイオード２１３は、親局１０に装備される上記レーザダイオード１０３と同等の光デバイスであり、このレーザダイオード２１３の非線形性に起因する２次歪み等の歪み信号を利用して、無線周波数帯信号と局発信号とが混合された光信号である中間周波数帯光信号を生成する。そして、この中間周波数帯光信号が、光ファイバケーブルＦＣ２に出力されて親局１０まで伝送される。
【００３８】
光ファイバケーブルＦＣ２にて伝送されてきた中間周波数帯光信号は、親局１０において、上記第１実施形態と同様の作用により、移動局３０からの無線周波数帯信号と同等の無線周波数帯信号（ＲＦ２信号）が再生される。そして、この無線周波数帯信号は、上記基地局内に装備される復調器に出力される。
【００３９】
このように、本発明の第２実施形態によれば、子局２０′では、下りバンドパスフィルタにて抽出された下り局発信号が上り局発信号としても利用されるので、上記第１実施形態と同様の効果に加えて、子局の回路規模の小型化が促進されるという効果もある。
【００４０】
以上のように、本発明の実施形態によれば、外部ミキサ等の周波数変換器や高価なレーザダイオード及びフォトダイオードを不要にした光リンク通信システムを提供することが可能になる。
【００４１】
なお、本発明は、携帯電話網等の無線通信網のみならず、ケーブルＴＶ網等の無線通信網にも同様に適用可能である。本発明は、その主旨を逸脱しない範囲で種々の変形が可能である。
【図面の簡単な説明】
【００４２】
【図１】本発明の光リンク通信システムの第１実施形態を示すブロック図である。
【図２】本発明の光リンク通信システムの第２実施形態を示すブロック図である。
【図３】従来のこの種の光リンク通信システムを例示するブロック図である。
【符号の説明】
【００４３】
１０  親局
１０１  合成器
１０２  局発信号生成器（下り局発信号生成器）
１０３  レーザダイオード（下りレーザダイオード）
１０４  フォトダイオード（上りフォトダイオード）
１０５  分配器
１０６、１０７  バンドパスフィルタ
１０８  アンプ
１０９  周波数変換器
２０、２０′  子局
２０１  フォトダイオード（下りフォトダイオード）
２０２  分配器
２０３、２０４  バンドパスフィルタ
２０５  アンプ
２０６、２０６′  周波数変換器
２０７、２１０  パワーアンプ
２０８  アンテナ共用器
２０９  アンテナ
２１１、２１１′  合成器
２１２  局発信号生成器（上り局発信号生成器）
２１３  レーザダイオード（上りレーザダイオード）
２１４  分配器
３０  移動局
３０１  アンテナ
ＦＣ１、ＦＣ２  光ファイバケーブル
【図１】
2005073009.tif 000003
【図２】
2005073009.tif 000004
【図３】
2005073009.tif 000005